(57)【要約】【課題】コンパクトディスクプレーヤを薄型化する。【解決手段】インシュレータ５４は、部材９４により構成され、この部材９４は、膨張部９４ａと９４ｂの間に、内側に凹んだ凹部９４ｃを有しており、この凹部９４ｃにターンテーブルシャーシ５１が支持されている。部材９４の内側には、中空部９４ｄが形成され、そこにメインシャーシ３１のピン９１が挿入されている。これにより、ターンテーブルシャーシ５１は、このインシュレータ５４を中心として回動自在とされる。【選択図】図８
2005032442.tif 000002
【特許請求の範囲】
【請求項１】
メインシャーシと、
ディスクが載置され、前記メインシャーシに収容された第１の位置と、前記メインシャーシの外に進出した第２の位置とに亘って移動するトレイと、
前記ディスクを回転させるターンテーブルと、
前記ターンテーブルを保持するとともに、前記メインシャーシに、第１のインシュレータを介して、前記トレイに載置された前記ディスクのディスク面に対して垂直な方向に回動自在に支持されたターンテーブルシャーシと、
前記メインシャーシに、前記トレイに載置された前記ディスクのディスク面に対して垂直な方向に動作可能に支持された可動体と、
前記ターンテーブルシャーシと前記可動体との間に介在された第２のインシュレータと、
前記トレイを前記第１の位置と前記第２の位置とに亘って移動させる駆動手段と
を備え、
前記駆動手段は、前記トレイを、前記第２の位置から前記第１の位置に向かって移動させる場合、前記トレイが所定の位置に移動したときに、前記可動体を動作させ、前記ターンテーブルシャーシを前記トレイに載置されたディスクに向かう方向へ回動させる
ことを特徴とするディスク装置。
【発明の詳細な説明】
【技術分野】
【０００１】
本発明は、例えばコンパクトディスクプレーヤなどに用いて好適なディスク装置に関する。
【背景技術】
【０００２】
図１３および図１４は、従来のコンパクトディスクプレーヤにおけるローディング装置の一例の構成を示している。図１３は平面図を、図１４は側面図をそれぞれ示している。これらの図に示すように、メインシャーシ１にはサブシャーシ２がピン２ａを中心として回動自在に支持されている。そして、このサブシャーシ２にはインシュレータ３を介してターンテーブルシャーシ４が支持されている。このターンテーブルシャーシ４には、ターンテーブル５が支持されているとともに、ピックアップ６が図中左右方向に移動自在に支持されている。
【０００３】
駆動ギア７が回転すると、カム９を有するカム筒８が回転するようになされている。そして、このカム９には、サブシャーシ２に設けたピン１０が嵌合している。
【０００４】
従って、駆動ギア７を回転して、図示せぬトレイを装置本体に引き込むように駆動すると、これに連動してカム筒８が回転する。そして所定のタイミングにおいて、カム９に案内されてピン１０が図１４において下方に移動する。これにより、サブシャーシ２がピン２ａを中心として、図１４において反時計方向に回動し、ターンテーブル５が下方に沈み込む。これにより、トレイがターンテーブル５に衡突することなく、図１４において水平に移動することができ、トレイに載置されたディスクを所定のローディング位置に移送することができる。
【０００５】
トレイが所定の位置に配置されたとき、カム９に案内されてピン１０が図１４において上方に移動される。これにより、サブシャーシ２がピン２ａを中心として、図１４において時計方向に回動し、ターンテーブル５がディスクのセンター孔に嵌合する。このようにしてディスクがターンテーブル５上に載置される。
【発明の開示】
【発明が解決しようとする課題】
【０００６】
従来の装置は、このようにメインシャーシ１に対してサブシャーシ２を回動自在に支持し、このサブシャーシ２にインシュレータ３を介してターンテーブルシャーシ４を支持するようにしているため、装置の全体の高さが高くなり、小型化が困難になる課題があった。また、部品点数も多くなり、コスト高になる課題があった。
【０００７】
本発明はこのような状況に鑑みてなされたものであり、構成を簡略化し、薄型化を可能にするとともに、部品点数を少なくし、低コスト化を図るものである。
【課題を解決するための手段】
【０００８】
本発明のディスク装置は、メインシャーシと、ディスクが載置され、メインシャーシに収容された第１の位置と、メインシャーシの外に進出した第２の位置とに亘って移動するトレイと、ディスクを回転させるターンテーブルと、  ターンテーブルを保持するとともに、メインシャーシに、第１のインシュレータを介して、トレイに載置されたディスクのディスク面に対して垂直な方向に回動自在に支持されたターンテーブルシャーシと、メインシャーシに、トレイに載置されたディスクのディスク面に対して垂直な方向に動作可能に支持された可動体と、ターンテーブルシャーシと可動体との間に介在された第２のインシュレータと、トレイを第１の位置と第２の位置とに亘って移動させる駆動手段とを備え、駆動手段は、トレイを、第２の位置から第１の位置に向かって移動させる場合、トレイが所定の位置に移動したときに、可動体を動作させ、ターンテーブルシャーシをトレイに載置されたディスクに向かう方向へ回動させることを特徴とする。
【０００９】
本発明においては、ターンテーブルシャーシが、第１のインシュレータを介して、トレイに載置されたディスクのディスク面に対して垂直な方向に回動自在に支持され、回動体が、メインシャーシに、トレイに載置されたディスクのディスク面に対して垂直な方向に動作可能に支持され、ターンテーブルシャーシと可動体との間に第２のインシュレータが介在される。なお、駆動手段は、トレイを、メインシャーシの外に進出した第２の位置から、メインシャーシに収容された第１の位置に向かって移動させる場合、トレイが所定の位置に移動したときに、可動体を動作させ、ターンテーブルシャーシをトレイに載置されたディスクに向かう方向へ回動させる。
【発明の効果】
【００１０】
本発明によれば、従来の場合におけるサブシャーシや、それを回動自在に支持するための機構が不要となり、装置の薄型化や低コスト化が可能になる。
【発明を実施するための最良の形態】
【００１１】
図１乃至図５は、本発明のディスク装置の一実施の形態の構成を示している。図１は、メインシャーシ３１に対してトレイ３２が収容された状態の斜視図を示しており、図２は、図１の実施の形態における分解斜視図を示している。図３は、図１および図２に示した実施の形態に、主に駆動機構とターンテーブルシャーシ５１を取付けた構成を示す平面図であり、図４は、その正面図である。また、図５は、トレイ３２が進出した状態と後退した状態を示す平面図である。
【００１２】
これらの図に示すように、メインシャーシ３１の側方には、ガイド３１ａが設けられ、このガイド３１ａにトレイ３２のレール（突条）３２ａが係合している。これにより、トレイ３２が図１、図３および図５において矢印で示す方向に移動自在とされている。
【００１３】
メインシャーシ３１には、突起３５が設けられ、この突起３５にチャッキングシャーシ３３がネジにより固定されている。このチャッキングシャーシ３３には孔３３ａが形成され、この孔３３ａに、小径のチャッキングプーリ３４ａと、大径のチャッキングプーリ３４ｂよりなるチャッキングプーリ３４が回転自在に保持されている。このチャッキングプーリ３４ｂは、ターンテーブル５３（図５）上に載置されたディスク９９（図１２）をチャッキングする。
【００１４】
トレイ３２にはディスク９９を載置するための凹部３８が形成され、さらにその内側には、ターンテーブル５３やピックアップ５２を配置するための孔３７が形成されている。また、トレイ３２の後方には係止部３６が、その左右に形成されている。トレイ３２をメインシャーシ３１に対して最も奥に（図３および図５において、最も右側に）後退させたとき、チャッキングシャーシ３３の突起部３３ｂが、この係止部３６の近傍に位置するようになされている。また、トレイ３２の一方の側（図５において上方）には、ラック６８が形成されており、その反対側の後方にはピン４０が植設されている。このピン４０は、トレイ３２が所定の位置（図５の最も左側の位置）まで進出したとき（本体９８（図１２）から最も進出した状態のとき）、メインシャーシ３１に形成した突起４１と係合するようになされている。
【００１５】
図３および図５に示すように、メインシャーシ３１には小判型のローディングモータ６１が、その回転軸がトレイ３２の進退方向と平行（紙面と平行）になるように取付けられている。そして、その回転軸の先端には合成樹脂よりなるモータプーリ６２が結合されている。このモータプーリ６２にはテーパ面６２ａが形成されている。例えばシリコンゴムよりなるローディングプーリ６３は、ローディングモータ６１の回転軸と垂直な回転軸を有するようにメインシャーシ３１に回転自在に支持されている。このローディングプーリ６３もテーパ面６３ａを有しており、このテーパ面６３ａがモータプーリ６２のテーパ面６２ａと接触し、その回転が伝達されるようになされている。
【００１６】
また、図６にその一部を拡大して示すように、ローディングプーリ６３はその中心に回転軸８０を有しており、その内部には空洞８０ａが形成されている。そして、この空洞８０ａにはメインシャーシ３１に形成したピン８３が嵌入されている。このピン８３には、空洞８３ａが形成され、そこにスプリング８１とピン８２が挿入されている。スプリング８１がピン８２を図中上方に押圧し、ピン８２の図中上方の上端部が回転軸８０の内壁を上方に押圧し、結果的にローディングプーリ６３のテーパ面６３ａがモータプーリ６２のテーパ面６２ａに圧接されるようになされている。これにより、モータプーリ６２の回転が確実にローディングプーリ６３に伝達されるようになされている。
【００１７】
ローディングプーリ６３の下方には、同軸上にギア６４が形成されている。そして、このギア６４がギア６５と噛合しており、このギア６５には小径のギア６６が同軸上に結合されている。このギア６６は、駆動ギア６７と噛合している。そして、この駆動ギア６７がトレイ３２のラック６８（図５）と噛合している。
【００１８】
図７に示すように、駆動ギア６７は、上側のギア６７ａと下側のギア６７ｂにより構成されており、その間にカム６７ｃが形成されている。このカム６７ｃには、回動板７１（図３）のピン７１ｂが嵌合されている。そして、駆動ギア６７の回転に伴って、このピン７１ｂがカム６７ｃに案内され、回動板７１が、メインシャーシ３１に回転自在に支持された突起７１ａを中心として、図３において紙面に垂直な方向に回動されるようになされている。
【００１９】
図２に示した孔３７には、図３および図５に示すように、ターンテーブルシャーシ５１が配置される。そして、このターンテーブルシャーシ５１は、メインシャーシ３１に対してインシュレータ５４を介して支持される。このターンテーブルシャーシ５１には、ターンテーブル５３とピックアップ５２が配置されている。ターンテーブル５３は、そこにディスクが載置されたとき、そのディスクを回転するようになされている。このターンテーブル５３上にディスクを載置したとき、上述した図２に示すチャッキングプーリ３４ｂがディスクをターンテーブル５３上に押圧することになる。ピックアップ５２は、ターンテーブルシャーシ５１上において、図５の左右方向に移動自在とされている。
【００２０】
図８は、インシュレータ５４の断面構成を拡大して示している。同図に示すように、インシュレータ５４はゴムで形成された部材９４により構成されており、この部材９４は、外側に膨張した膨張部９４ａと９４ｂの間に、内側に凹んだ凹部９４ｃを有しており、この凹部９４ｃにターンテーブルシャーシ５１が支持されている。部材９４の内側には、中空部９４ｄが形成され、そこにメインシャーシ３１（または回動板７１）のピン９１が挿入されている。そして、このピン９１には、ワッシャ９２を介してネジ９３が螺合されている。このワッシャ９２により、部材９４のピン９１からの脱落が防止されるようになされている。
【００２１】
これにより、メインシャーシ３１が外部振動などにより振動したとしても、部材９４によりその振動が減衰され、この振動がターンテーブルシャーシ５１に伝達され難くなるようになされている。また、凹部９４ｃとピン９１の距離が比較的大きく設定されており、ターンテーブルシャーシ５１は図８において上下方向に若干移動自在とされているだけでなく、メインシャーシ３１に対して所定の角度の範囲内でターンテーブルシャーシ５１を傾斜させることができるようになされている。
【００２２】
図９および図１０は、このようにして回動板７１とターンテーブルシャーシ５１を、インシュレータ５４を支点として回動した状態を示している。図９は、トレイ３２をメインシャーシ３１から進出した状態を示している。このとき、同図に示すように、回動板７１は突起７１ａを支点として、図中時計方向に回動する。また、ターンテーブルシャーシ５１は図中右側に示すインシュレータ５４を支点として、反時計方向に回動する。ターンテーブルシャーシ５１と回動板７１は、図中左側に示すインシュレータ５４を介して結合されているが、上述したように、インシュレータ５４はターンテーブルシャーシ５１を回動自在に保持しているため、このようなターンテーブルシャーシ５１の回動が許容されることになる。
【００２３】
図９に示したように、ターンテーブル５３が図中下側に移動した状態にあると、トレイ３２が図中右側に移動したとしても、ターンテーブル５３が邪魔になるようなことがない。
【００２４】
これに対して、トレイ３２が所定の位置まで後退されたとき、図１０に示すように、ターンテーブルシャーシ５１と回動板７１が水平状態に復帰される。これにより、ターンテーブル５３が上方に突出し、トレイ３２により運ばれてきたディスクの中心孔内に挿入される。その結果、ディスクはチャッキングプーリ３４とターンテーブル５３の間にチャッキングされることになる。
【００２５】
次に、その動作について説明する。いま図３に示すように、トレイ３２がメインシャーシ３１に対して最も右側の位置に収容されている状態にあるとき、トレイ３２の進出を指令すると、ローディングモータ６１に通電され、それが回転される。この回転が、モータプーリ６２とローディングプーリ６３により、その回転軸の方向が９０度だけ回転された後、ギア６４、ギア６５、ギア６６を介して駆動ギア６７に伝達される。これにより、駆動ギア６７が図３において反時計方向に回転される。この駆動ギア６７は、図５に示すように、トレイ３２のラック６８に噛合しているため、ラック６８が図３において左方向に移動され、メインシャーシ３１から図５に示すように進出される。
【００２６】
トレイ３２が図３に示す状態（収容位置）にあるとき、回動板７１のピン７１ｂは図７に示すカム６７ｃの上段に嵌合している。そして駆動ギア６７が回転すると、この回転に伴ってピン７１ｂがカム６７ｃの傾斜面６７ｄに従って、図７において下方向に移動される。その結果、回動板７１が突起７１ａを中心として、図９に示すように時計方向に回動する。インシュレータ５４を介してターンテーブルシャーシ５１がこの回動板７１に結合されているため、このターンテーブルシャーシ５１も同時に図９において反時計方向に回動することになる。このようにターンテーブルシャーシ５１が下方に沈み込むので、トレイ３２がアンローディング位置に進出する動作が支障なく実行される。
【００２７】
トレイ３２が所定の位置まで進出したとき、図１１に示すように、トレイ３２の右側のピン４０がメインシャーシ３１の突起４１に当接する。これにより、トレイ３２の図中右側の部分は、それ以上本体９８から進出することができなくなる。
【００２８】
これに対して、駆動ギア６７は、さらにトレイ３２を本体９８から進出するように駆動される。その結果、図１１に示すように、トレイ３２の図中左側の部分のみが本体９８から前方（図中上方）に進出する。そして、ついに図中左側のピン４０（右側のピン４０より距離ｄだけ後方に配置されている）が突起４１と当接する。これにより、トレイ３２は、もはやそれ以上進出することができなくなる。このとき、駆動ギア６７の回転が停止される。その結果、図１１に示すように、トレイ３２はラック６８が形成されている側（図１１においては右側）に若干回動した位置で停止することになる。図１１は説明の便宜上、傾きを大きくして描いているが、実際にはこの傾きは比較的小さく、使用者はトレイ３２と本体９８とを略平行と認識する。
【００２９】
このような位置において、トレイ３２の凹部３８上にディスクを載置し、ローディングを指令すると、ローディングモータ６１は上述した場合とは逆方向に回転される。これにより、駆動ギア６７が図１１において時計方向に回転される。このとき、上述したように、トレイ３２にはその片側にのみラック６８が設けられているため、力がラック６８側にのみ作用し、トレイ３２には図１１において時計方向に回転するモーメントが作用することになる。しかしながら上述したように、トレイ３２は既に若干時計方向に回動した状態で停止されている。その結果、もはやそれ以上時計方向に回動することができなくなっている。従って、トレイ３２はガタツクことなく、本体９８側に円滑に後退されることになる。
【００３０】
尚、図１１においては、説明の便宜上、トレイ３２とメインシャーシ３１の右側にもピン４０と突起４１を形成するようにしたが、図１乃至図５の実施の形態においては、この右側のピン４０と突起４１によるストッパは実際には形成されていない。その代わり、アンローディング時、図７に示すように、回動板７１のピン７１ｂとカム６７ｃの端部６７ｅとの係合が、ピン４０と突起４１の係合より若干早いタイミングで起こるようになされている。即ち、アンローディング時、ピン７１ｂと端部６７ｅが係合して駆動ギア６７の回転が停止された後、トレイ３２は慣性によりさらに進出しようとする。その結果、トレイ３２の右側は、ピン７１ｂと端部６７ｅの係合位置で停止するが、その左側は、さらに進出し、ピン４０と突起４１が係合した位置で停止する。
【００３１】
駆動ギア６７が時計方向に回転して、トレイ３２を本体９８側に後退させると、トレイ３２が所定の位置まで移動したとき、図７に示すように回動板７１のピン７１ｂがカム６７ｃの傾斜面６７ｄにより持ち上げられる。その結果、回動板７１が突起７１ａを中心として、図９において反時計方向に回動する。これにより、ターンテーブルシャーシ５１も図９において上方に持ち上げられる。そしてピン７１ｂがカム６７ｃの上側の溝（図７）に達したとき、回動板７１とターンテーブルシャーシ５１が水平状態に保持される（図１０）。このとき、ターンテーブル５３がディスクの中心孔に嵌合される。そしてチャッキングプーリ３４ｂが、このディスクをターンテーブル５３上に押圧する。従って、ターンテーブル５３を回転して、ディスクから情報を再生することが可能となる。
【００３２】
一方、このディスクプレーヤは通常水平に載置されて使用されるのであるが、誤って垂直に載置した状態でアンローディングを指令してしまうような場合がある。即ち、図１０に示す状態から時計方向に９０度回動した状態において、アンローディングを指令するのである。この場合、上述したように、ターンテーブルシャーシ５１と回動板７１が沈み込むため、ターンテーブル５３上に載置されているディスクが下方（図１０において右側）に落下することになる。しかしながら、本実施の形態においては、トレイ３２に係止部３６が形成されているため、ディスクがこの係止部３６に係止され、それ以上本体９８の奥に落下することが防止される。また、係止部３６による係止をより確実にするため、チャッキングプレート３４に突起部３３ｂが設けられており、この突起部３３ｂが係止部３６の近傍まで延在している。その結果、ディスクが落下するとき、係止部３６を飛び越えるほど傾斜することが抑制される。その結果、ディスク９９が確実に係止部３６に係止される。
【００３３】
その後、トレイ３２が本体９８から所定の位置まで進出した状態になったとき、係止部３６に係止されたディスク９９が、本体９８から充分露出するように係止部３６の位置が設定されている（図１２）。従って、使用者は、係止部３６に係止されているディスク９９を確実に取り出すことができる。ディスク９９が本来の位置にある場合においては、ディスク９９をトレイ３２から容易に離脱することができることはもとよりである。
【図面の簡単な説明】
【００３４】
【図１】本発明のディスク装置の一実施の形態の構成を示す斜視図である。
【図２】図１に示した実施の形態の分解斜視図である。
【図３】本発明のディスク装置の一実施の形態の構成を示す平面図である。
【図４】図３に示した実施の形態の正面図である。
【図５】図３に示す実施の形態のトレイ３２を進出した状態と後退した状態を示す平面図である。
【図６】図３および図５に示した実施の形態におけるモータプーリ６２とローディングプーリ６３のより詳細な構成を示す拡大断面図である。
【図７】図３および図５に示した実施の形態における駆動ギア６７の側面に形成されているカムを説明する図である。
【図８】図５の実施の形態におけるインシュレータ５４の詳細な構成例を示す断面図である。
【図９】図３および図５に示した実施の形態のトレイ３２を引き出した状態を示す側断面図である。
【図１０】図３および図５に示した実施の形態のトレイ３２を収容した状態を示す側断面図である。
【図１１】図３および図５に示した実施の形態のトレイ３２を本体９８から最も進出させた状態を説明する図である。
【図１２】図３および図５に示した実施の形態のディスク９９が係止部３６に係止された状態でトレイ３２を進出した状態を説明する図である。
【図１３】従来のディスク装置の一例の構成を示す平面図である。
【図１４】図１３の例の側面図である。
【符号の説明】
【００３５】
３１  メインシャーシ，  ３２  トレイ，  ３３  チャッキングシャーシ，  ３４  チャッキングプーリ，  ３６  係止部，  ４０  ピン，  ４１  突起，  ５１  ターンテーブルシャーシ，  ５２  ピックアップ，  ５３  ターンテーブル，  ５４  インシュレータ，  ６１  ローディングモータ，  ６２  モータプーリ，  ６３  ローディングプーリ，  ６７  駆動ギア，  ６８  ラック，  ７１  回動板，  ８０  回転軸，  ８１  スプリング
【図１】
2005032442.tif 000003
【図２】
2005032442.tif 000004
【図３】
2005032442.tif 000005
【図４】
2005032442.tif 000006
【図５】
2005032442.tif 000007
【図６】
2005032442.tif 000008
【図７】
2005032442.tif 000009
【図８】
2005032442.tif 000010
【図９】
2005032442.tif 000011
【図１０】
2005032442.tif 000012
【図１１】
2005032442.tif 000013
【図１２】
2005032442.tif 000014
【図１３】
2005032442.tif 000015
【図１４】
2005032442.tif 000016